(57)【要約】【課題】  部品点数を少なくして製造コストの低減を図る。【解決手段】  地面側に蓋３で開閉可能な開口２を備え、開口２に連通する上側径部４と上側径部４の下側に連続しかつ上側径部４よりも径の大きい下側径部５とを有したマンホール１の上側径部４に設けられ、断熱効果のある樹脂により円板状に形成され上側径部４内周に摩擦的に係合して嵌合する本体１０を備え、本体１０を、２つの分割体１１に分割形成し、分割体１１をヒンジ１２を介して折り畳み可能に結合し、分割体１１に把手２０を夫々設け、本体１０をヒンジ１２から折り畳まれてマンホール１内の下側径部５に挿入され、把手２０を持って開いて引き上げることにより上側径部４に嵌合可能にした。【選択図】  図１
2007277857.tif 000002
【特許請求の範囲】
【請求項１】
地面側に蓋で開閉可能な開口を備え、上記開口に連通する上側径部と該上側径部の下側に連続しかつ該上側径部よりも径の大きい下側径部とを有したマンホールの上記上側径部に設けられるマンホール用中蓋において、
断熱効果のある樹脂により円板状に形成され上記上側径部内周に摩擦的に係合して嵌合する本体を備え、該本体を、２つの分割体に分割形成し、該分割体をヒンジを介して折り畳み可能に結合し、上記分割体に把手を夫々設け、
上記本体をヒンジから折り畳んでマンホール内の下側径部に挿入し、上記把手を持って開いて引き上げることにより上記上側径部に嵌合させるようにしたことを特徴とするマンホール用中蓋。
【請求項２】
上記ヒンジを、上記分割体の下面が互いに向かい合う方向に折り曲げ可能に形成したことを特徴とする請求項１記載のマンホール用中蓋。
【請求項３】
上記ヒンジを上記本体の下面に貼付された可撓性のシート状部材で構成したことを特徴とする請求項２記載のマンホール用中蓋。
【請求項４】
上記本体の上面側であって上記２つの分割体の一方の分割体と他方の分割体とに架設され上記分割体が折り畳まれないように解除可能にロックするロック部材を備えたことを特徴とする請求項２，３または４記載のマンホール用中蓋。
【請求項５】
上記ロック部材を、一端が上記２つの分割体のうち一方の分割体の把手に結合される一方シート体と、一端が上記他方の分割体の把手に結合され他端が上記一方シート体に面接触可能な他方シート体と、上記一方シート体の表面及び上記他方シート体の裏面に夫々設けられ互いに着脱可能に接合する面ファスナとを備えて構成したことを特徴とする請求項４記載のマンホール用中蓋。
【請求項６】
上記本体を、上記上面側の径が上記上側径部の径よりも小さくかつ上記下面側の径が上記上側径部の径よりも大きい円錐台状に形成したことを特徴とする請求項１，２，３，４または５記載のマンホール用中蓋。
【請求項７】
上記本体を、上記分割体の外周の円弧面に付設され弾性を有し該円弧面と上記上側径部の内周とをシールするシール部材を備えて構成したことを特徴とする請求項１，２，３，４，５または６記載のマンホール用中蓋。
【請求項８】
上記本体に、上記マンホールの蓋側から流入し該本体上にたまった水を下に流すための水抜孔を設けたことを特徴とする請求項１，２，３，４，５，６または７記載のマンホール用中蓋。
【発明の詳細な説明】
【技術分野】
【０００１】
本発明は、例えば、下水道や地下鉄等の地下構造物に連通するマンホールに設けられ、地下構造物からの熱がマンホールの開口の蓋側に伝わらないようにし、降雪時に蓋上の雪が解けないようにするマンホール用中蓋に関する。
【背景技術】
【０００２】
一般に、マンホールの蓋上に降雪した雪がマンホールに連通した下水道や地下鉄等の地下構造物からの熱で溶融して、雪道において、この部分が陥没し、陥没箇所に車両のタイヤがはまったり、足をとられて転倒したりする等の事故が生じる虞がある。そのため、この雪道の陥没が生じないように、マンホールの開口の蓋の下側にマンホール用中蓋を設け、地下構造物からの熱がマンホールの開口の蓋側に伝わらないように断熱することを行なっている。
従来、この種のマンホール用中蓋としては、例えば、特許文献１（実登３０３２９０８号公報）に記載されたものが知られている。
【０００３】
図７に示すように、このマンホール用中蓋が設けられるマンホール１００は、開口部１０１がマンホール１００の一般部よりも大径に形成されている。また、マンホール１００の開口１０３の蓋１０４は、その外周縁部が一般部と開口部１０１の間の段部１０２に支持されて設けられている。
マンホール用中蓋は、マンホール１００の内部に挿入される本体１０５及び本体１０５を支持する支持部材１０６を備えてなる。
【０００４】
本体１０５は、ポリプロピレンにより円盤状に形成されている。
支持部材１０６は、一対のコ字状部材１０７を備えて構成されている。コ字状部材１０７は、板体を折曲形成して形成され、対峙する一対の側面１０８と、一対の側面１０８の下端に架設された底面１０９とを備えてなる。また、コ字状部材１０７の側面１０８は、マンホール１００の内周に対応させて湾曲形成され、その上端には、側面１０８を外向きに折曲形成してなる係止部１１０が形成されている。この一対のコ字状部材１０７は、底面１０９の中央で互いに十字に接合され、その内側に本体１０５が入れられる。
更に、マンホール用中蓋には、４つの把手１１１が設けられている。把手１１１は、Ｕ字状に形成され開放端側が本体１０５及び支持部材１０６を貫通するとともにこの開放端に形成された雄ネジにナットを螺合して支持部材１０６に固定されている。
【０００５】
このマンホール用中蓋を、マンホール１００に取り付ける場合には、まず、蓋１０４を開口１０３から外す。次に、把手１１１を持って本体１０５をマンホール１００の内部に差し入れていき、支持部材１０６の係止部１１０を段部１０２に係止し、蓋１０４を元に戻す。
これにより、蓋１０４とマンホール１００の下部の地下構造物との間のマンホール用中蓋で地下構造物からの熱が遮られるので、この熱が蓋１０４側に伝達しにくくなり、マンホール１００の蓋１０４上に降雪した雪が融解しにくくなる。そのため、この部分の陥没もほとんど生じなくなる。
【０００６】
【特許文献１】実登３０３２９０８号公報
【発明の開示】
【発明が解決しようとする課題】
【０００７】
ところで、このようなマンホール用中蓋にあっては、支持部材１０６で本体１０５を支持するので、部品点数が多くなり、製造コストが高くなるという問題があった。
【０００８】
本発明は上記の問題点に鑑みて為されたもので、部品点数を少なくして製造コストを低減したマンホール用中蓋を提供することを目的とする。
【課題を解決するための手段】
【０００９】
このような目的を達成するための本発明のマンホール用中蓋は、地面側に蓋で開閉可能な開口を備え、上記開口に連通する上側径部と該上側径部の下側に連続しかつ該上側径部よりも径の大きい下側径部とを有したマンホールの上記上側径部に設けられるマンホール用中蓋において、断熱効果のある樹脂により円板状に形成され上記上側径部内周に摩擦的に係合して嵌合する本体を備え、該本体を、２つの分割体に分割形成し、該分割体をヒンジを介して折り畳み可能に結合し、上記分割体に把手を夫々設け、上記本体をヒンジから折り畳んでマンホール内の下側径部に挿入し、上記把手を持って開いて引き上げることにより上記上側径部に嵌合させるようにしている。
【００１０】
これにより、このマンホール用中蓋をマンホールに取り付ける場合には、マンホールの開口から蓋を取り外し、把手を持って本体をヒンジから折り畳み開口から差し入れてマンホールの下側径部に挿入する。
この際、本体を、２つの分割体に分割形成し、分割体をヒンジを介して折り畳み可能に結合したので、本体を上側径部の径よりも小さくでき、マンホールの内部に容易に挿入することができる。
【００１１】
次に、本体を、把手を持って下側径部で開く。この際、分割体の夫々に把手が設けられ両手で夫々の把手を持って本体を開くので、本体を容易に開くことができる。
そして、本体を、開いた状態で開口側に引き上げる。
この場合、本体は、下面側の外周縁部が上側径部に摩擦的に係合して嵌合する。これにより、マンホール用中蓋は、本体をマンホール内に支持するための部材を用いることなく取り付けできるので、部品点数を少なくでき、本体の製造コストの低減を図ることができる。また、本体を引き上げれば自ずとマンホールに取り付けられるので、設置作業も比較的容易である。
その後、開口に蓋をする。
この際、蓋と、例えば、下水管や地下鉄等のマンホール下部の地下構造物との間にマンホール用中蓋が取り付けられ、地下構造物からの熱が遮られるので、この熱が開口の蓋側に伝達しにくくなる。そのため、マンホールの蓋上に降雪した雪が融解し難くなり、雪道の陥没を生じさせ難くすることができる。
また、本体が上側径部の内周に摩擦的に係合するので、本体とマンホールとの密着性が良くなり、あまり隙間が生じないので、地下構造物からの熱が伝わり難くすることができる。
【００１２】
また、必要に応じ、上記ヒンジを、上記分割体の下面が互いに向かい合う方向に折り曲げ可能に形成している。
これにより、分割体の上面が互いに向かい合う方向に折り曲げるように形成した場合に比較して、上面側から本体の中央に荷重がかかっても、本体は開く方向に力がかかるようになり、折り畳まれてマンホール用中蓋が上側径部から外れる事態が防止される。
この場合、上記ヒンジを上記本体の下面に貼付された可撓性のシート状部材で構成したことが有効である。
これにより、簡易な構造で分割体同士の結合を行なうことができる。そのため、製造が容易になる。
【００１３】
また、必要に応じ、上記本体の上面側であって上記２つの分割体の一方の分割体と他方の分割体とに架設され上記分割体が折り畳まれないように解除可能にロックするロック部材を備えて構成されている。
これにより、本体が上側径部に取り付けられた際に、ロック部材で２つの分割体が折れ曲がる事態が防止され、本体の脱落が防止される。
【００１４】
更に、上記ロック部材を、一端が上記２つの分割体のうち一方の分割体の把手に結合される一方シート体と、一端が上記他方の分割体の把手に結合され他端が上記一方シート体に面接触可能な他方シート体と、上記一方シート体の表面及び上記他方シート体の裏面に夫々設けられ互いに着脱可能に接合する面ファスナとを備えて構成している。
これにより、ロック部材でロックする場合には、一方シート体と他方シート体の面ファスナを互いに接合すればよいので、ロック作業を容易に行なうことができる。
また、点検等でマンホールの内部を見る等の際には、一方シート体と他方シート体の面ファスナ同士を引きはがし、把手を持って本体を取り外す。その後、点検を終えてから上記と同様に再び本体を取り付ける。これにより、本体の上側径部からの取り外しが容易になる。
【００１５】
更にまた、必要に応じ、上記本体を、上記上面側の径が上記上側径部の径よりも小さくかつ上記下面側の径が上記上側径部の径よりも大きい円錐台状に形成している。
これにより、下側径部にある本体を上側径部に引き上げる際に、上側径部よりも径が小さな本体の上面側から上側径部内に入るので、上側径部に本体を引き上げやすくなり、設置作業を容易に行なうことができる。
【００１６】
また、必要に応じ、上記本体を、上記分割体の外周の円弧面に付設され弾性を有し該円弧面と上記上側径部の内周とをシールするシール部材を備えて構成している。
これにより、シール部材により本体の外周と上側径部の内周との密着性が向上するので、本体と上側径部との密着性が良好になり、本体の脱落を防止できる。また、本体の外周と上側径部の内周の間に、あまり隙間が生じなくなり、地下構造物からの熱を伝わらせ難くすることができる。
更に、必要に応じ、上記本体に、上記マンホールの蓋側から流入し該本体上にたまった水を下に流すための水抜孔を設けている。
これにより、雨水や雪が融解してなる融雪水等の水が、マンホールに形成された孔やマンホールと開口部の間からマンホールの内部に入りこむと、本体に設けた水抜孔を通ってマンホールの下部に落下していく。そのため、本体の上面に水がほとんど溜まらなくなり、溜まった水の重みでマンホール用中蓋が外れる事態を防止できる。
【発明の効果】
【００１７】
本発明のマンホール用中蓋によれば、本体を２つの分割体に分割形成し、分割体をヒンジを介して折り畳み可能に結合し、折り畳んだ状態でマンホールの内部に挿入されるので、本体を容易にマンホールの内部に挿入することができる。
また、マンホールの上側径部内周に摩擦的に係合して嵌合する本体を備えたので、本体をマンホール内の下側径部に挿入して本体を開き、把手を持って開いて引き上げることにより上側径部の内周に本体が摩擦的に係合して嵌合する。そのため、マンホール内に支持するための部材を用いることなく取り付けでき、部品点数を少なくでき、本体の製造コストの低減を図ることができる。また、本体を引き上げれば自ずとマンホールに取り付けられるので、設置作業も比較的容易にすることができる。
【発明を実施するための最良の形態】
【００１８】
以下、添付図面に基づいて、本発明の実施の形態に係るマンホール用中蓋について詳細に説明する。
【００１９】
図１に示すように、マンホール用中蓋が取り付けられるマンホール１は、地面側に蓋３で開閉可能な開口２を備え、開口２に連通する上側径部４と上側径部４の下側に連続しかつ上側径部４よりも径の大きい下側径部５とを有した構成とし、その下部で、例えば、地下構造物である下水管（図示せず）と連通している。
マンホール１の開口部２ａは、上側径部４よりも大径に形成されている。また、マンホール１の開口２の蓋３は、その外周縁部が上側径部４と開口部２ａの間の段部９に支持されて設けられている。また、下側径部５は、上側径部４に連続する斜壁部６と、斜壁部６の下側に連続する円筒形状の一般部７とを備えてなる。そして、マンホール用中蓋は、このマンホール１の上側径部４に設けられている。
【００２０】
詳しくは、図１乃至図５に示すように、マンホール用中蓋は、断熱効果のある、例えば、発泡スチロール等の樹脂により円板状に形成され、上側径部４内周に摩擦的に係合して嵌合する本体１０を備えて構成されている。本体１０は、例えば、その直径が約６０ｃｍに形成されている。
【００２１】
本体１０は、上面１８側の径が上側径部４の径よりも小さくかつ下面１９側の径が上側径部４の径よりも大きい円錐台状に形成されている。また、本体１０は、２つの分割体１１に分割形成されている。実施の形態においては、２つの分割体１１は、本体１０の中央で分割され、左右対称に形成されている。
また、分割体１１は、図５に示すように、ヒンジ１２を介して折り畳み可能に結合されている。
ヒンジ１２は、本体１０の下面１９に接着剤等で貼付された布製のシート状部材１３で構成され、分割体１１の下面が互いに向かい合う方向に折り曲げ可能になっている。ヒンジ１２は、可撓性のある布製のシート状部材１３なので、簡易な構造で分割体１１同士の結合を行なうことができ、製造が容易になる。
分割体１１は、その開時に、分割体１１の分割面１４同士が接触して押圧し合うので、逆向きに折り曲げできないようになっている。
【００２２】
また、本体１０には、マンホール１の蓋３側から流入し本体１０上にたまった水を下に流すための水抜孔１５が設けられている。水抜孔１５は、本体１０の外周縁部であって、分割体１１の分割面１４のある部分の近傍を切り欠いて形成されている。この水抜孔１５は、例えば、その幅が約４ｃｍ，深さ約５ｃｍに形成されている。
【００２３】
また、本体１０は、分割体１１の外周の円弧面に付設され弾性を有し円弧面と上側径部４の内周とをシールするシール部材１７を備えて構成されている。シール部材１７は、厚さ１０ｍｍの細長状に形成され、各分割体１１の外周の円弧面に接着剤等で貼付されることにより付設される。このシール部材１７は、スポンジ状のもので、例えば、軟質発泡ウレタンで形成されている。また、シール部材１７の一端部は、水抜孔１５の反対側に設けられた切り欠き孔１６に入れられてこの切り欠き孔１６の内周に貼付されている。シール部材１７の他端部は、水抜孔１５の内周に入り込んで、水抜孔１５の内周に貼付されている。
【００２４】
また、分割体１１には、その上面１８に把手２０が夫々ひとつずつ設けられている。把手２０は、細長板状の把持部２１と、把持部２１の長手方向両端に夫々設けられ本体１０と把持部２１との間に空間を形成するとともに本体１０に結合される円柱状の結合部材２２とを備えてなる。結合部材２２には、結合部材２２と同軸の雄ネジ２３が突設されている。この把手２０は、分割体１１に設けた貫通孔に挿通し、雄ネジ２３にナット２４を螺合することにより取り付けられる。
【００２５】
また、マンホール用中蓋には、本体１０の上面１８側であって２つの分割体１１の一方の分割体１１と他方の分割体１１とに着脱可能に架設され分割体１１が折れ畳まれないようにロックするロック部材３０が備えられている。
ロック部材３０は、一端が２つの分割体１１のうち一方の分割体１１の把手２０に結合される一方シート体３１と、一端が他方の分割体１１の把手２０に結合され他端が一方シート体３１に面接触可能な他方シート体３２と、一方シート体３１の表面及び他方シート体３２の裏面に夫々設けられ互いに着脱可能に接合する面ファスナ３３とを備えて構成されている。
図５に示すように、一方シート体３１は、その一端部に一方の分割体１１の把手２０の雄ネジ２３が貫通しており、この雄ネジ２３により一方の分割体１１に結合される。また、他方シート体３２は、その一端に他方の分割体１１の把手２０の雄ネジ２３が貫通しており、この雄ネジ２３により他方の分割体１１に結合される。
【００２６】
従って、このマンホール用中蓋をマンホール１に取り付ける場合には、図６に示す手順に従って行なわれる。まず、マンホール１の開口２から蓋３を取り外し、把手２０を持って本体１０をヒンジ１２から折り畳んでマンホール１の下側径部５に挿入する（図２，図５（ｂ），図６（ａ））。
この際、本体１０を、２つの分割体１１に分割形成し、分割体１１をヒンジ１２を介して折り畳み可能に結合したので、ヒンジ１２から折り畳むことにより本体１０を上側径部４の径よりも小さくでき、マンホール１の内部に容易に挿入することができる。
【００２７】
次に、本体１０を、把手２０を持って下側径部５の斜壁部６で開く（図６（ｂ））。
この際、分割体１１の夫々に把手２０が設けられ両手で夫々の把手２０を持って本体１０を開くので、本体１０を容易に開くことができる。
そして、本体１０を、開いた状態で開口２側に引き上げる（図６（ｃ））。
この場合、まず、上側径部４よりも径の小さな本体１０の上面１８側が上側径部４内に入り込み、引き上げるに従って上側径部４よりも径の大きな本体１０の下面１９側が上側径部４の内周に摩擦的に係合して嵌合していく。これにより、本体１０の上面１８側の径が上側径部４よりも小さく上側径部４に入りやすいので、本体１０を上側径部４内に引き上げる作業を容易に行なうことができる。
また、本体１０が上側径部４の内周に摩擦的に係合することで取り付けられるので、マンホール１内に支持するための部材を用いることなく取り付けでき、部品点数を少なくでき、本体１０の製造コストの低減を図ることができる。また、本体１０を引き上げれば自ずとマンホール１に取り付けられるので、設置作業も比較的容易である。
【００２８】
そして、図３及び図５（ａ）に示すように、ロック部材３０の一方シート体３１の表面の面ファスナ３３と、他方シート体３２の裏面の面ファスナ３３とを面接触させて面ファスナ３３同士を接合し、本体１０が折り畳まれないようにロック部材３０でロックを行なう。
また、図示しないが、万が一、本体１０が上側径部４から外れたときに、マンホール用中蓋がマンホール１の下部に落下しないように、マンホール用中蓋の把手２０及びマンホール１の開口部２ａ近傍に設けられ人がマンホール１内を昇降する際に用いられる把手に脱落防止用の紐を通しておく。
【００２９】
その後、図１及び図６（ｄ）に示すように、開口２に蓋３をする。
この際、蓋３と下水管の間にマンホール用中蓋が取り付けられ、このマンホール用中蓋で下水管からの熱を遮るので、この熱が開口２の蓋３側に伝達しにくくなる。そのため、マンホール１の蓋３上に降雪した雪が融解し難くなり、雪道の陥没を生じさせ難くすることができる。
また、本体１０が上側径部４の内周に摩擦的に係合するので、本体１０の外周とマンホール１の上側径部４との密着性が良好になり、あまり隙間が生じないので、下水管からの熱を伝わらせにくくすることができる。
更に、分割体１１の円弧面にシール部材１７が付設されているので、本体１０と上側径部４との密着性が良好になり、密着性本体１０の脱落を防止できる。また、本体１０の外周と上側径部４の内周の間に、あまり隙間が生じなくなり、下水管からの熱を伝わらせ難くすることができる。
【００３０】
更にまた、雨水や雪が融解してなる融雪水等の水が、マンホール１に形成された孔やマンホール１と開口部２ａの間からマンホール１の内部に入りこむと、本体１０に設けた水抜孔１５を通ってマンホール１の下部に落下していく。これにより、本体１０の上面１８に水がほとんど溜まらなくなり、溜まった水の重みでマンホール用中蓋が外れる事態を防止できる。
【００３１】
また、雨水や雪が融解してなる融雪水等の水が本体１０に落下し、本体１０にこれらの荷重がかかって本体１０が折れ曲がろうとしても、ロック部材３０でロックされて折り畳まれなくなるので、上側径部４から外れる事態を防止することができる。
また、一方シート体３１と他方シート体３２とは、面ファスナ３３で接合されるので、ロック部材３０によるロックを容易に行なうことができる。
【００３２】
更に、ヒンジ１２が分割体１１の下面１９が互いに向かい合う方向に折り曲げ可能に形成されているので、上面１８側から本体１０の中央に荷重がかかっても、本体１０は開く方向に力がかかるようになり、折り畳まれてマンホール用中蓋が上側径部４から外れる事態が防止される。
【００３３】
マンホール１の下部を点検したい場合には、蓋３を開口２から取り外し、一方シート体３１の面ファスナ３３から他方シート体３２の面ファスナ３３を外してロックを解除し、この状態で把手２０を把持し本体１０を押し下げ、本体１０を折り曲げてマンホール１の内部から取り出す。この場合、ロック部材３０の一方シート体３１と他方シート体３２は、面ファスナ３３で互いに接合されるので、ロック部材３０のロックの解除を容易に行なうことができる。
【図面の簡単な説明】
【００３４】
【図１】本発明の実施の形態に係るマンホール用中蓋をマンホールに取り付けた状態で示す斜視図である。
【図２】本発明の実施の形態に係るマンホール用中蓋であって、本体を折り畳んだ状態で示す斜視図である。
【図３】本発明の実施の形態に係るマンホール用中蓋を示す平面図である。
【図４】本発明の実施の形態に係るマンホール用中蓋を示す側面図である。
【図５】本発明の実施の形態に係るマンホール用中蓋を示し、（ａ）本体を開いた状態，（ｂ）本体を折り畳んだ状態を夫々示す断面図である。
【図６】本発明の実施の形態に係るマンホール用中蓋のマンホールへの取り付け手順を示す図である。
【図７】従来のマンホール用中蓋の一例を示す図である。
【符号の説明】
【００３５】
１  マンホール
２  開口
３  蓋
４  上側径部
５  下側径部
１０  本体
１１  分割体
１２  ヒンジ
１３  シート状部材
１５  水抜孔
１７  シール部材
２０  把手
３０  ロック部材
３１  一方シート体
３２  他方シート体
３３  面ファスナ
【図１】
2007277857.tif 000003
【図２】
2007277857.tif 000004
【図３】
2007277857.tif 000005
【図４】
2007277857.tif 000006
【図５】
2007277857.tif 000007
【図６】
2007277857.tif 000008
【図７】
2007277857.tif 000009